(57)【要約】【課題】  苗を移植する際に植付姿勢を乱したり、植え付けた苗を圃場から引き抜くことがなく、苗の落下供給時に苗植付ホッパに苗を確実に投入できる移植機を提供すること。【解決手段】  苗を搬送して供給する苗供給装置２００と、苗供給装置２００により供給された苗を受けて圃場に植え付ける苗植付ホッパ３１０，３２０と、苗植付ホッパ３１０，３２０を昇降させると共に開閉させる植付作動機構を備える移植機において、苗供給装置２００は、苗を収容する苗収容部材２１０を回転移動させ、回転軌跡の所定位置で苗が苗植付ホッパ３１０，３２０に供給される構成とし、苗供給装置２００には、上死点付近に上昇した苗植付ホッパ３１０，３２０の上部側に接近して苗収容部材２１０から供給される苗を苗植付ホッパ３１０，３２０に案内する案内部材２４３を設けて構成する。【選択図】  図１４
2019024415.tif 000002
【特許請求の範囲】
【請求項１】
苗を搬送して供給する苗供給装置（２００）と、該苗供給装置（２００）により供給された苗を受けて圃場に植え付ける苗植付ホッパ（３１０，３２０）と、該苗植付ホッパ（３１０，３２０）を昇降させると共に開閉させる植付作動機構（９００）を備える移植機において、
前記苗供給装置（２００）は、苗を収容する苗収容部材（２１０）を回転移動させ、回転軌跡の所定位置で苗が前記苗植付ホッパ（３１０，３２０）に供給される構成とし、
前記苗供給装置（２００）には、上死点付近に上昇した苗植付ホッパ（３１０，３２０）の上部側に接近して苗収容部材（２１０）から供給される苗を苗植付ホッパ（３１０，３２０）に案内する案内部材（２４３）を設けたことを特徴とする移植機。
【請求項２】
前記苗植付ホッパ（３１０，３２０）は、左右の苗植付体（３１２，３１３、３２２，３２３）を各々回動自在に設けて構成し、該左右の苗植付体（３１２，３１３、３２２，３２３）の回動支点は、前記苗植付ホッパ（３１０，３２０）の機体前側または機体後側に設けて構成し、
前記案内部材（２４３）の機体後方は開放される構成としたことを特徴とする移植機。
【請求項３】
前記苗供給装置（２００）に左右方向の支持部材（２４０）を設け、該支持部材（２４０）に形成する左右方向の第１長孔（２４１）に沿って左右移動可能に前記案内部材（２４３）を設け、
前記案内部材（２４３）には上下方向の第２長孔（２４４）を形成し、該第２長孔（２４４）に前記支持部材（２４０）と案内部材（２４３）を連結する取付部材（２４２）を差し込み、該取付部材（２４２）を移動させて前記案内部材（２４３）を左右方向に移動可能とすると共に、該取付部材（２４２）に沿って案内部材（２４３）を上下方向に移動可能とすることを特徴とする請求項１または２に記載の移植機。
【請求項４】
前記苗搬送部材（２１０）は、苗を収容するカップ部（２１１）と、苗供給装置（２００）の所定位置でのみ開く蓋部（２１２）で構成し、
前記案内部材（２４３）の左右両側には苗の落下を防止する左側の受壁部（２４５）と右側の受壁部（２４６）を形成し、前記苗供給装置（２００）の回転方向の下手側に位置する該右側の受壁部（２４６）には、開放状態の蓋部（２１２）が通過する切欠部（２４６ａ）を形成したことを特徴とする請求項２に記載の移植機。
【請求項５】
前記苗供給装置（２００）の下部には、前記苗植付ホッパ（３１０，３２０）の上方以外の部分で前記蓋部（２１２）を閉じた状態にする開放規制部材（２１３）を前記苗搬送部材（２１０）の回転軌跡に沿って設け、
前記蓋部（２１２）はカップ部（２１１）の移動方向の下手側の回動軸を支点として開閉する構成とし、
該開閉規制部材（２１３）により閉じた状態の前記蓋部（２１２）の移動方向の上手側と、前記カップ部（２１１）の移動方向の上手側には、上下間隔部（Ｄ）が形成される構成としたことを特徴とする請求項４に記載の移植機。
【発明の詳細な説明】
【技術分野】
【０００１】
本発明は、長ネギや接木用の台木など、丈の長い苗を移植する移植機に関するものである。
【背景技術】
【０００２】
従来構成として、圃場を走行する走行装置、作業者が投入した苗を所定の落下位置まで移動させる苗供給テーブル、苗供給テーブルから落下する苗を受けて圃場に植え付ける苗植付装置、植え付けた苗の周辺の土を鎮圧する鎮圧機構及び補充用の苗の載置台等を備える移植機が知られている（特許文献１参照）。
【０００３】
苗供給テーブルは、無端チェーンにより車体左右方向に延びるループ状に連結されて周回移動させられる、作業者により補給された苗を収容する二十八個の苗収容カップなどを有する。
【０００４】
車体の後部には、車体側面視において８の字状の植付ホッパ移動静軌跡に沿って上下移動させられる、苗供給テーブルにより落下供給された苗を植え付ける苗植付装置、及び植え付けられた苗の周辺の土壌に鎮圧荷重を負荷する鎮圧機構等が、左右一対の駆動後輪と共に配置されている。
【０００５】
苗植付ホッパは、苗供給テーブルにより供給された苗を受け入れ、下降すると背面視で左右方向に開いて苗を開放して植え付けるものである。
【先行技術文献】
【特許文献】
【０００６】
【特許文献１】特開２０１４−１３１５２０号公報
【発明の概要】
【発明が解決しようとする課題】
【０００７】
しかしながら、上記の移植機においては、苗植付ホッパが左右方向に開くことにより、苗植付ホッパの下部側の左右間隔は大きくなるものの、上部側の左右間隔はあまり広くならず、回動軸付近では殆ど間隔部が生じない構成であるので、丈の長い苗や、上部側の葉部が散らばりやすい苗を移植するときは、苗が開放されるときに苗植付ホッパに接触して傾斜姿勢で植え付けられることがある。こうなると、作業者が手作業で苗の植付姿勢を修正しなければならず、余分な作業が発生する問題がある。
【０００８】
また、苗植付ホッパは苗を開放して圃場面の上方に退避するが、このとき苗植付ホッパは閉じながら上昇する。これにより、植え付けた苗を挟んで引き抜いてしまい、苗がなくなった箇所に作業者が手作業で苗を移植する必要が生じ、余分な労力が必要になる問題がある。
【０００９】
さらに、苗供給テーブルと苗植付ホッパの上下間には隙間があるので、苗が落下供給される姿勢によっては、苗植付ホッパを避けて落下してしまい、苗植付ホッパで苗を圃場に植え付けられないことがある。
【００１０】
本発明は、苗を移植する際に植付姿勢を乱したり、植え付けた苗を圃場から引き抜くことがなく、苗の落下供給時に苗植付ホッパに苗を確実に投入できる移植機を提供することを目的とする。
【課題を解決するための手段】
【００１１】
請求項１の発明は、苗を搬送して供給する苗供給装置（２００）と、該苗供給装置（２００）により供給された苗を受けて圃場に植え付ける苗植付ホッパ（３１０，３２０）と、該苗植付ホッパ（３１０，３２０）を昇降させると共に開閉させる植付作動機構（９００）を備える移植機において、前記苗供給装置（２００）は、苗を収容する苗収容部材（２１０）を回転移動させ、回転軌跡の所定位置で苗が前記苗植付ホッパ（３１０，３２０）に供給される構成とし、前記苗供給装置（２００）には、上死点付近に上昇した苗植付ホッパ（３１０，３２０）の上部側に接近して苗収容部材（２１０）から供給される苗を苗植付ホッパ（３１０，３２０）に案内する案内部材（２４３）を設けたことを特徴とする移植機である。
【００１２】
請求項２の発明は、前記苗植付ホッパ（３１０，３２０）は、左右の苗植付体（３１２，３１３、３２２，３２３）を各々回動自在に設けて構成し、該左右の苗植付体（３１２，３１３、３２２，３２３）の回動支点は、前記苗植付ホッパ（３１０，３２０）の機体前側または機体後側に設けて構成し、前記案内部材（２４３）の機体後方は開放される構成としたことを特徴とする移植機である。
【００１３】
請求項３の発明は、前記苗供給装置（２００）に左右方向の支持部材（２４０）を設け、該支持部材（２４０）に形成する左右方向の第１長孔（２４１）に沿って左右移動可能に前記案内部材（２４３）を設け、前記案内部材（２４３）には上下方向の第２長孔（２４４）を形成し、該第２長孔（２４４）に前記支持部材（２４０）と案内部材（２４３）を連結する取付部材（２４２）を差し込み、該取付部材（２４２）を移動させて前記案内部材（２４３）を左右方向に移動可能とすると共に、該取付部材（２４２）に沿って案内部材（２４３）を上下方向に移動可能とすることを特徴とする請求項１または２に記載の移植機である。
【００１４】
請求項４の発明は、前記苗搬送部材（２１０）は、苗を収容するカップ部（２１１）と、苗供給装置（２００）の所定位置でのみ開く蓋部（２１２）で構成し、前記案内部材（２４３）の左右両側には苗の落下を防止する左側の受壁部（２４５）と右側の受壁部（２４６）を形成し、前記苗供給装置（２００）の回転方向の下手側に位置する該右側の受壁部（２４６）には、開放状態の蓋部（２１２）が通過する切欠部（２４６ａ）を形成したことを特徴とする請求項２に記載の移植機である。
【００１５】
請求項５の発明は、前記苗供給装置（２００）の下部には、前記苗植付ホッパ（３１０，３２０）の上方以外の部分で前記蓋部（２１２）を閉じた状態にする開放規制部材（２１３）を前記苗搬送部材（２１０）の回転軌跡に沿って設け、前記蓋部（２１２）はカップ部（２１１）の移動方向の下手側の回動軸を支点として開閉する構成とし、該開閉規制部材（２１３）により閉じた状態の前記蓋部（２１２）の移動方向の上手側と、前記カップ部（２１１）の移動方向の上手側には、上下間隔部（Ｄ）が形成される構成としたことを特徴とする請求項４に記載の移植機である。
【発明の効果】
【００１６】
請求項１の発明によって、苗植付ホッパ（３１０，３２０）が上方に移動して上死点付近に位置すると、苗収容部材（２１０）から供給される苗は苗植付ホッパ（３１０，３２０）の上部側が接近する案内部材（２４３）を介して苗植付ホッパ（３１０，３２０）に投入されるので、苗が苗植付ホッパ（３１０，３２０）に投入されず、苗の植付が行われない箇所の発生が防止される。これにより、手作業で苗を植え付ける必要がなく、作業者の労力が軽減される。
【００１７】
請求項２の発明によって、請求項１の発明の効果に加えて、案内部材（２４３）の機体後方は開放されることにより、苗が上下に長いものであり、苗が機体後側に向かって傾いていても、案内部材（２４３）に落下移動を妨げられることがなく、確実に苗植付ホッパ（３１０，３２０）に投入されるので、苗の植付が行われない箇所の発生が防止される。
【００１８】
請求項３の発明によって、請求項１または２の発明の効果に加えて、案内部材（２４３）を第１長孔（２４１）に沿って左右方向に位置調整することができるので、苗植付ホッパ（３１０，３２０）の左右間隔（植付条間）に合わせて案内部材（２４３）の位置を調節でき、苗の供給をより確実にする。
【００１９】
また、第２長孔（２４４）により案内部材（２４３）を上下方向に位置調整することができるので、苗植付ホッパ（３１０，３２０）と案内部材（２４３）の接近する距離を調整し、苗植付ホッパ（３１０，３２０）と案内部材（２４３）の間隔部から苗が落下して植え付けられなくなることを防止すると共に、苗植付ホッパ（３１０，３２０）と案内部材（２４３）が接触して破損することを防止する。
【００２０】
請求項４の発明によって、請求項２の発明の効果に加えて、案内部材（２４３）の左右に左側の受壁部（２４５）と右側の受壁部（２４６）を形成したことにより、苗が左右どちらかの方向に傾いていても、案内部材（２４３）の中心に沿って移動させることができるので、苗が案内部材（２４３）に引っ掛かって苗植付ホッパ（３１０，３２０）に投入されなくなることが防止される。
【００２１】
また、右側の受壁部（２４６）に切欠部（２４６ａ）を形成したことにより、蓋部（２１２）が開いた状態で右側の受壁部（２４６）を通過する際、右側の受壁部（２４６）が蓋部（２１２）を閉ざすことを防止できるので、落下供給途中の苗を挟み込み、苗を潰して傷付けることや、苗の落下供給を中断し、苗植付ホッパ（３１０，３２０）に苗が入らなくなることが防止される。
【００２２】
請求項５の発明によって、請求項４の発明の効果に加えて、蓋部（２１２）はカップ部（２１１）の移動方向の下手側の回動軸を支点として開閉することにより、蓋部（２１２）が開く際に蓋部（２１２）が苗の移動を妨げ難く、苗が苗植付ホッパ（３１０，３２０）に落下供給される。
【００２３】
また、閉じた状態の蓋部（２１２）の移動方向の上手側とカップ部（２１１）の移動方向の上手側に上下間隔部（Ｄ）が形成されることにより、カップ部（２１１）と蓋部（２１２）の間に隙間ができるので、苗の落下供給が遅れても苗が挟まれることが防止される。これにより、苗が挟まれて傷付くことや、苗が苗植付ホッパ（３１０，３２０）に投入されないことが防止される。
【図面の簡単な説明】
【００２４】
【図１】苗移植機の左側面図
【図２】苗移植機の平面図
【図３】苗移植機の部分背面図
【図４】苗移植機の苗植付装置近傍の部分背面図
【図５】（ａ）鎮圧機構近傍の模式的な部分斜視図、（ｂ）鎮圧機構近傍の模式的な部分斜視図
【図６】水タンク近傍の部分左側面図
【図７】水タンクステー近傍の模式的な部分斜視図
【図８】コンテナ載置台の模式的な部分斜視図
【図９】（ａ）苗供給テーブルを示す要部平面図、（ｂ）苗供給テーブルを示す要部背面図
【図１０】苗植付ホッパと昇降リンク機構を示す要部斜視図
【図１１】（ａ）苗植付ホッパと昇降リンク機構を示す要部側面図、（ｂ）最下降状態の苗植付ホッパと昇降リンク機構を示す要部側面図
【図１２】苗植付ホッパと昇降リンク機構を示す要部平面図
【図１３】（ａ）苗植付ホッパと昇降リンク機構を示す要部背面図、（ｂ）最下降状態の苗植付ホッパと昇降リンク機構を示す要部背面図
【図１４】案内シュータを装着した苗移植機の部分背面図
【図１５】案内シュータを装着した苗供給テーブルの要部背面図
【図１６】案内シュータを装着した苗供給テーブルの要部背面斜視図
【図１７】案内シュータを装着した苗移植機の部分側面図
【図１８】案内シュータを装着した苗移植機の部分平面図
【図１９】案内シュータと苗収容体を装着した苗移植機の部分背面図
【図２０】苗収容体と開放規制レールの一部を示す模式図
【図２１】（ａ）異なる苗の投入作業に用いるスリーブを示す背面図、（ｂ）苗収容体の平面図、（ｃ）苗収容体の背面断面図、（ｄ）苗収容体にスリーブを装着した状態を示す背面断面図
【発明を実施するための形態】
【００２５】
以下、図面を参照しながら、本発明における移植機の一例である本実施の形態の苗移植機の構成及び動作について具体的に説明する。
【００２６】
なお、本願の苗移植機は、長ネギや接木用の台木（例えば、カラタチや柚子、サザンカ等）のような、丈が長い苗を移植するものを念頭に置く。丈の長い苗とは、植付作動機構９００による昇降動作で後述する苗植付ホッパ３１０，３２０の下端部が描く植付軌跡の上下幅よりも長いものが一例として挙げられる。
【００２７】
上記の丈の長い苗は、圃場に深く植え付けても上部側が苗植付ホッパ３１０，３２０の内部に位置するので、苗植付ホッパ３１０，３２０を圃場面から上方に退避させる際、植え付けた苗に接触せず、且つ苗を挟み込んで持ち上げることのない構成が必要になる。
【００２８】
本実施の形態の苗移植機は、エンジン２０、ミッションケース２１、操作ユニット６０、植付深さ調節機構１００、苗供給テーブル２００、苗植付装置３００、及び鎮圧機構４００などを備える。
【００２９】
車体１０の前部には、エンジン２０を設け、該エンジン２０の左右両側に、左右の接地輪４０を上下高さ調節可能に配置する。操作ユニット６０は、作業者が車体１０の後方を歩きながら車体操向操作を行う操縦ハンドル７０の中央部に配置され、副変速レバー６１等を有する。
【００３０】
植付深さ調節機構１００は、車高を調節することにより長ネギや接木用の台木の苗の植付深さを一定に保つためのセンサ板１１０等を有する。該センサ板１１０は、図１、図６に示すとおり、前後方向に長い板体で構成し、圃場面の凹凸に合わせて上下回動する。また、センサ板１１０は、左右の苗植付ホッパ３１０，３２０のうち、機体右側の苗植付ホッパ３２０の前方に配置する。
【００３１】
一方、前記センサ板１１０の左側方には、運搬時や格納時に機体をその場に固定したり、メンテナンス時に機体の後部側を上昇させたりするスタンド１１１を設ける。該スタンド１１１は、回動基部をセンサ板１１０の回動基部よりも後側に配置すると共に、平面視で接地部１１１ａがセンサ板１１０の後端部よりも機体後側に位置する構成とし、スタンド１１１の回動軌跡がスタンド板１１０の後端部を回避する円弧軌跡になる構成とする。
【００３２】
これにより、スタンド１１１を上下回動させるとき、センサ板１１０の位置を気にすることなく上下回動させることができるので、作業能率が向上する。
【００３３】
また、スタンド１１１とセンサ板１１０の接触により、センサ板１１０の後端部が変形して接地範囲が変化することを防止できるので、センサ板１１０の検知による植付深さ調節機構１００の作動精度が安定する。
【００３４】
なお、前記スタンド１１１は、機体左右方向の中央に位置する構成とし、スタンド１１１の接地部１１１ａを接地させた際、機体の姿勢が左右に傾きにくい構成とする。
【００３５】
苗供給テーブル２００は、無端チェーンにより車体左右方向に延びるループ状に連結されて周回移動させられる、作業者により補給された苗を収容する二十八個の苗収容体２１０などを有する。なお、前記苗収容体２１０の個数は一例であり、植え付ける苗の種類等により苗収容体２１０のサイズや装着間隔を変更すると、その数は増減される。
【００３６】
前記苗収容体２１０は、図９、図１４から図２０に示すとおり、苗を受け入れる収容カップ２１１と、該収容カップ２１１の下部の回動支軸（図示省略）に開閉可能に設ける開閉蓋２１２で構成する。該開閉蓋２１２を取り付ける回動支軸は、図２０に示すとおり、苗供給テーブル２００の苗収容体２１０の回転方向の下手側に設け、開閉蓋２１２が下方回動して開放状態になると、前記収容カップ２１１の回転移動方向の下手側に上下方向を長手方向として位置する。
【００３７】
図９、図２０等に示すとおり、前記苗供給テーブル２００の下部には、前記開閉蓋２１２が苗植付ホッパ３１０，３２０に苗を供給する位置以外で開放状態になることを規制する、開放規制レール２１３を、前記収容カップ２１１の回転移動方向に沿って円周上に配置する。該開放規制レール２１３には、左右一側の苗植付ホッパ３１０に苗を供給する位置で開閉蓋２１２を開放する第１開放空間部２１３ａと、左右他側の苗植付ホッパ３２０に苗を供給する位置で開閉蓋２１２を開放する第２開放空間部２１３ｂを形成する。
【００３８】
また、前記開閉蓋２１２には、該第１開放空間部において接触せず開閉蓋２１２が自重で開放状態になる第１突起２１２ａを形成するものと、該第２開放空間部において接触せず開閉蓋２１２が自重で開放状態になる第２突起２１２ｂを形成する。そして、該第１突起２１２ａを形成した開閉蓋２１２を有する苗収容体２１０と、該第２突起２１２ｂを形成した開閉蓋２１２を有する苗収容体２１０は、回転移動方向において交互に配置される構成とする。
【００３９】
これにより、左右の苗植付ホッパ３１０，３２０に対応する位置で各々開閉蓋２１２を開放状態にすることができるので、苗の供給が安定する。
【００４０】
なお、図２０に示すとおり、前記開放規制レール２１３と苗収容体２１０は上下間隔部Ｄを空けて配置し、開閉蓋２１２は、回転移動方向における下手側の一部のみが開放規制レール２１３に接触し、収容カップ２１１と開閉蓋２１２の上下間には、回転移動方向の下手側ほど広い上下間隔が空く構成とする。
【００４１】
この構成により、苗が上下に長い等の要因により、苗収容体２１０から落下供給される途中で開閉蓋２１２が閉まっても、開閉蓋２１２と収容カップ２１１の間には開放空間が生じるので、苗を挟んで落下供給されなくなることが防止される。
【００４２】
これにより、苗が挟まれたまま搬送され、傷付いて移植に堪えられなくなり、無駄に消費されることが防止されると共に、苗供給テーブル２００のテーブル伝動機構２３０等に絡み付いて駆動を停止させることを防止できるので、作業の中断が防止される。
【００４３】
さらに、図１４から図１９に示すとおり、前記苗供給テーブル２００のテーブルフレーム２２０の下部には、左右方向に長い支持プレート２４０を左右に二つ設け、該左右の支持プレート２４０には、左右方向の第１長孔２４１を各々形成する。そして、該第１長孔２４１には、ボルト等の取付部材２４２，２４２を差し込み、該取付部材２４２，２４２に、前記苗収容体２１０から落下供給される苗を左右の植付ホッパ３１０，３２０に案内する案内シュータ２４３を装着する。
【００４４】
該案内シュータ２４３には、上下方向の第２長孔２４４が左右方向に少なくとも二か所形成されており、該左右の第２長孔２４４に前記取付部材２４２を介して取り付ける。
【００４５】
なお、案内シュータ２４３は、支持プレート２４０の機体後側の面に、機体後側ほど下方に向かう傾斜姿勢で配置する。また、この案内シュータ２４３の傾斜角度に、苗植付ホッパ３１０，３２０の機体前側の傾斜角度も合わせるものとする。
【００４６】
上記構成により、案内シュータ２４３を第１長孔２４１に沿って左右移動させ、左右の位置を決めることができるので、苗植付ホッパ３１０，３２０が植え付ける苗の左右間隔、所謂植付条間を調節する際、案内シュータ２４３の苗の案内位置を左右方向で調節でき、苗が確実に苗植付ホッパ３１０，３２０に供給される。
【００４７】
また、第２長孔２４４内で取付部材２４２を摺動させることにより、案内シュータ２４３を上下動させることができるので、苗収容体２１０と案内シュータ２４３の上下間隔を苗の長さや種類（ネギ等の柔らかいもの、台木等の堅いもの）に合わせて調節し、苗の詰まりを防止できる。
【００４８】
なお、上記の案内シュータ２４３の左右位置及び上下位置の調節は、案内シュータ２４３の裏側、即ち機体前側から行う構成とすると、図１７に示すとおり、苗植付ホッパ３１０，３２０や昇降リンク機構９６０に人の手が邪魔されにくい位置で調節作業ができるので、調節に要する時間の短縮が図られる。
【００４９】
また、前記案内シュータ２４３の左右両側には、苗を案内シュータ２４３の左右中央寄りの方向に落下させ、苗収容体２１０から落下供給される際に苗の姿勢が苗収容体２１０の回転移動方向に沿う、あるいは逆行する傾斜姿勢になっていても、苗植付ホッパ３１０，３２０に投入させる、左右の送り込み補助プレート２４５，２４６を設ける。該左右の送り込み補助プレート２４５，２４６のうち、苗収容体２１０の回転移動方向における上手側に設ける左側の送り込み補助プレート２４５は、案内シュータ２４３の左端上部から左右中央部に向かう傾斜姿勢で配置し、下手側に設ける右側の送り込み補助プレート２４６は、案内シュータ２４３の右端上部から左右中央部に向かう傾斜姿勢で配置する。
【００５０】
前記右側の送り込み補助プレート２４６の上部側は、前記苗収容体２１０の開閉蓋２１２が開放状態であると接触する。開閉蓋２１２は多少傷付いても開閉さえすれば問題はないが、苗を苗植付ホッパ３１０，３２０に落下供給している際に開閉蓋２１２が閉じると、苗が供給されないことや、苗が収容カップ２１１と開閉蓋２１２の間に挟まれて傷付いてしまう問題が生じる。
【００５１】
この問題の発生を防止すべく、右側の送り込み補助プレート２４６の上部側には、開閉蓋２１２が通過可能な通過孔部２４６ａを形成する。該通過孔部２４６ａは、開閉蓋２１２の外形よりも僅かに大きく形成する。
【００５２】
これにより、開閉蓋２１２は右側の送り込み補助プレート２４５に接触することなく移動することができるので、苗の落下供給中に開閉蓋２１２が閉じて苗が落下しなくなることや、苗が挟んで傷付くことが防止される。
【００５３】
また、通過孔部２４６ａは、通過中の開閉蓋２１２が塞ぐので、苗が通過孔部２４６ａから下方に落下することが防止され、苗を確実に苗植付ホッパ３１０，３２０に供給することができる。
【００５４】
上記構成の案内シュータ２４３を苗植付ホッパ３１０，３２０に対応させ設けることにより、苗を植え付けて上方、即ち苗供給テーブル２００側に移動し、昇降軌跡の上死点を経由して下降し始める際、案内シュータ２４３と苗植付ホッパ３１０，３２０がほぼ上下間隔のない状態になるので、苗収容体２１０から落下供給される苗を確実に苗植付ホッパ３１０，３２０に投入させることができる。これにより、苗植付ホッパ３１０，３２０に苗が入らず、苗の植え付られない、所謂欠株が発生することを防止でき、人手で苗を植え付ける作業が不要となる。
【００５５】
また、案内シュータ２４３は、支持プレート２４０の機体後側に設けられると共に、左右両側に送り込み補助プレート２４５，２４６を設けることにより、機体後側が開放されているので、苗が上下に長いものであり、苗が機体後側に向かって傾いていても、案内シュータ２４３及び送り込み補助プレート２４５，２４６に落下移動を妨げられることがなく、確実に苗植付ホッパ３１０，３２０に投入される。
【００５６】
そして、開閉蓋２１２の回動支軸を収容カップ２１１の回転移動方向の下手側に設けたことにより、開放状態の開閉蓋２１２は苗の落下空間部よりも下手側に位置するので、開閉蓋２１２が苗の落下供給を妨げることが防止される。
【００５７】
また、該苗供給テーブル２００の下部には、図９（ａ）（ｂ）に示すとおり、苗供給テーブル２００に駆動力を伝動するテーブル伝動機構２３０を設ける。該テーブル伝動機構２３０は、駆動スプロケットと従動スプロケットに伝動チェーンを巻回して構成し、テーブル伝動ケース２６０で周囲を覆う構成とする。該テーブル伝動ケース２６０の下方は開放状態とする。
【００５８】
これにより、作業者が苗供給テーブル２００の苗収容体２１０に苗を投入するときに苗から零れ落ちる土がテーブル伝動機構２３０に付着することを防止できるので、テーブル伝動機構２３０の作動不良や破損が防止される。
【００５９】
また、テーブル伝動ケース２６０の下方を開放したことにより、テーブル伝動ケース２６０内に軸部等の隙間から土が入り込んでも下方に抜け落ちるので、
泥土が溜まることが防止され、掃除に要する労力が軽減される。
【００６０】
そして、図９（ａ）（ｂ）に示すとおり、前記苗供給テーブル２００の機体左右両側から機体後部に亘って、苗収容体２１０や無端チェーンに作業者が接触することを防止する、テーブル防護カバー２５０を設ける。
【００６１】
これにより、作業位置Ｗに立って苗の供給を行う作業者の手や胴が苗収容体２１０や無端チェーンに接触することを防止できるので、苗供給テーブル２００の回転が妨げられ、苗植付ホッパ３１０，３２０への苗の供給タイミングがずれ、苗の植付間隔に乱れが生じたり、苗の植付が行われない位置の発生が防止される。
【００６２】
また、作業者が無端チェーン等に触れて怪我をすることを防止できるので、作業の安全性が向上する。
【００６３】
車体１０の後部には、車体側面視において８の字状の植付ホッパ移動静軌跡に沿って上下移動させられる、苗供給テーブル２００により落下供給された苗を植え付ける苗植付装置３００、及び植え付けられた苗の周辺の土壌に鎮圧荷重を負荷する鎮圧機構４００などが、左右一対の駆動後輪５０とともに配置されている。
【００６４】
前記苗収容体２１０の収容カップ２１１は、主に合成樹脂を鋳型に流し込んで成型するものである。これにより、移植対象の作物の苗の長さや太さ、硬さ等に合わせて、この収容カップ２１１の形状を変更する必要がある。しかしながら、鋳型を新造することはコストの上昇につながる問題がある。
【００６５】
この問題を生じさせることなく、収容カップ２１１の形状を変化させる方法として、図２１に示すとおり、内部が中空の収容カップ２１１の内部に、上方から形状を変化させるスリーブ２７０を差し込む。
【００６６】
前記収容カップ２１１は、断面形状において、上端部から上下中央部に亘って下側ほど収容カップ２１１の中心線Ｃに向かう傾斜部２１１ａを有し、上下中央部から下端部まで鉛直方向の直線部２１１ｂを有している。
【００６７】
一方、前記スリーブ２７０は、前記傾斜部２１１ａと同一の上下範囲において、前記傾斜部２１１ａよりも急な角度、即ち下側に向かうほど傾斜部２１１ａよりも中心線Ｃに近付く姿勢の案内傾斜部２７０ａを形成し、該案内傾斜部２７０ａの下部には、上下方向に鉛直姿勢で前記直線部２１１ｂの内部に並ぶ案内直線部２７０ｂを形成する。該案内直線部２７０ｂは、直線部２１１ｂの下端部よりも下方に突出させ、苗の放出位置を変更すると共に、苗の姿勢を上下方向に修正するものとする。
【００６８】
なお、下方に突出する量は、作物の種類や長さによって異ならせる。
【００６９】
さらに、前記案内傾斜部２７０ａの上端部付近は、傾斜部２１１ａの傾斜角度と同一の傾斜角度とし、スリーブ２７０を設ける際、嵌り合せる形状とする。
【００７０】
そして、前記案内直線部２７０ｂの外周部には、収容カップ２１１の内周面に向かって突出して接触する、上下方向を長手方向とする接触突起２７１を、所定間隔を空けて形成する。
【００７１】
該複数の接触突起２７１を収容カップ２１１の内周面に接触させることにより、スリーブ２７０が回転することを防止すると共に、図２１に示すとおり、収容カップ２１１とスリーブ２７０の中心点を同じ位置に揃えることができ、苗植付ホッパ３１０，３２０への苗の供給位置を安定させる。
【００７２】
上記の構成により、収容カップ２１１では対応できない種類の苗を植え付ける際、作物の苗に対応するスリーブ２７０を装着することにより、同一の移植機を用いて異なる種類の苗の植付作業を行うことができる。
【００７３】
なお、開閉蓋２１２については、スリーブ２７０によって押し下げられ、常に開放された状態になる。その際、作業者は苗をタイミングよく所定位置にきた苗収容体２１０に投入するものとする。
【００７４】
つぎに、図１から図１３を主として参照しながら、本実施の形態の苗移植機の構成及び動作についてより具体的に説明する。
【００７５】
図３は本発明における実施の形態の苗移植機の背面図であり、図４は本発明における実施の形態の苗移植機の苗植付装置３００近傍の部分背面図であり、図５（ａ）（ｂ）は本発明における実施の形態の苗移植機の鎮圧機構４００近傍の模式的な部分斜視図（その一及び二）である。
【００７６】
図３、図４においては、以下の説明がより理解しやすくなるように、内側鎮圧輪フレーム４５０などは透視的に図示されている。
【００７７】
そして、図３及び４においては、水タンク６００、及び水タンクステー７００などは図示されていない。
【００７８】
苗供給テーブル２００は、長ネギ、あるいは接木用の台木となる柑橘類や椿類の苗を供給する装置であり、機体後上部に設けるテーブルフレーム２２０上に形成する。左右の苗植付ホッパ３１０，３２０は、苗供給テーブル２００により供給された苗を受入れて植え付ける、二本の植付条にそれぞれ対応するものである。
【００７９】
左右一側の該苗植付ホッパ３１０は、苗供給テーブル２００により供給された苗を植え付ける、左右の苗植付体３１２，３１３で構成する。左右他側の苗植付ホッパ３２０は、苗供給テーブル２００により供給された苗を植え付ける、左右の苗植付体３２２，３２３で構成する。なお、前記左右の苗植付ホッパ３１０，３２０は、車体左右方向を基準として並んで配置される。
【００８０】
前記左右の苗植付ホッパ３１０，３２０について、図面を参照しつつ、詳細に説明する。
【００８１】
図１０から図１３において、苗植付ホッパ３１０，３２０を動作させる植付作動機構９００を示す。該植付作動機構９００は、前記ミッションケース２１から伝動される駆動力を左右に分岐する分岐ケース２２を前記テーブルフレーム２２０の下方に設け、該分岐ケース２２の左右両側に前記左右の苗植付ホッパ３１０，３２０に対応する左右の植付伝動ケース９１０，９１０を装着し、該左右の植付伝動ケース９１０，９１０の下部を機体フレーム２の左右後部で支持する。前記テーブルフレーム２２０は、前記分岐ケース２２と連結する左右の装着プレート２２１，２２１を有する。
【００８２】
前記左右の植付伝動ケース９１０，９１０の機体前側には、左右の苗植付ホッパ３１０，３２０を昇降させると共に前後揺動させる植付カム９２０を設ける。該植付カム９２０は、植付伝動ケース９１０寄りに設ける左右の苗植付ホッパ３１０，３２０を前後揺動させる揺動カム９２１と、植付伝動ケース９１０から機体外側に離間する側に設ける左右の苗植付ホッパ３１０，３２０を昇降させる昇降カム９２２で構成する。該揺動カム９２１と昇降カム９２２は、植付伝動ケース９１０から機体外側に突出する伝動軸９２３に各々設けるものであり、不等円形状とするか、または偏心させて装着するものとする。
【００８３】
なお、揺動カム９２１と昇降カム９２２は、形状または偏心位置の異なるものに取替可能とすると、苗植付ホッパ３１０，３２０の植付軌跡を揺動カム９２１と昇降カム９２２の交換のみで変更することができる。
【００８４】
そして、図１１（ａ）（ｂ）で示すとおり、前記植付伝動ケース９１０，９１０の上部に、前記左右の苗植付ホッパ３１０，３２０を前後揺動させる側面視でＬ字形状の植付揺動アーム９７０，９７０を各々設け、該植付揺動アーム９７０の下部側端部に前記揺動カム９２１と接触する揺動ローラ９７１を回転可能に設ける。
【００８５】
また、前記植付揺動アーム９７０の屈曲部には、左右の苗植付ホッパ３１０，３２０を昇降させる植付昇降アーム９３０の上端部を装着する。さらに、該植付昇降アーム９３０は、上下中央部に設ける回動支軸９３１を介して前記装着プレート２２１に回動可能に装着する。該回動支軸９３１には、前記昇降カム９２２に接触する昇降ローラ９３２を回転可能に設ける。
【００８６】
そして、前記植付揺動アーム９７０の屈曲部で、前記植付昇降アーム９３０よりも機体外側には、前記左右の苗植付ホッパ３１０，３２０を昇降させる昇降リンク機構９６０を構成する上側リンクアーム９４０の前端部を装着する。また、前記植付昇降アーム９３０の下端部には、下側リンクアーム９５０の前端部を装着する。該下側リンクアーム９５０の前後間には、機体内側に向かう連結突起９５１を形成し、該連結突起９５１には、前記植付伝動ケース９１０の後部から伝動される揺動クランク９８０を装着し、下側リンクアーム９５０を揺動させる構成とする。
【００８７】
なお、該上側リンクアーム９４０と下側リンクアーム９５０で構成する昇降リンク機構９６０は、平行リンクとして構成しないものとする。
【００８８】
前記上側リンクアーム９４０及び下側リンクアーム９５０の後端部は、前記苗植付ホッパ３１０，３２０を支持する植付具ホルダ３１６，３２６に連結する。該植付具ホルダ３１６，３２６は、機体側方で上下方向に延びるリンク受けプレート３１６ａ，３２６ａと、苗植付ホッパ３１０，３２０を左右位置を調節可能に装着する左右方向の植付装着プレート３１６ｂ，３２６ｂで構成する。
【００８９】
前記リンク受けプレート３１６ａ，３２６ａの上端部に前記上側リンクアーム９４０の後端部を装着すると共に、下部側に前記下側リンクアーム９５０の後端部を装着する。
【００９０】
上記構成では、昇降リンク機構９６０が昇降動作すると、植付昇降アーム９３０と植付具ホルダ３１６，３２６が連動して回動するので、左右の苗植付ホッパ３１０，３２０が昇降する際、上部側が下部側よりも機体後側に位置する傾斜姿勢から、圃場面に対して略垂直となる姿勢を取るように回動する。
【００９１】
なお、前記苗植付ホッパ３１０，３２０が上昇する際には、前記植付昇降アーム９３０及び植付具ホルダ３１６，３２６の上部側が後方に移動し、下降する際には前記植付昇降アーム９３０及び植付具ホルダ３１６，３２６の下部側が後方に移動する構成とすると、左右の苗植付ホッパ３１０，３２０は、圃場に苗を植え付けるべく下方移動する際、下死点Ｕに近付くほど垂直に近い姿勢となり、苗を植え付けて圃場から退避する際、上死点Ｔに近付くほど後上がり傾斜姿勢の角度が大きくなる。
【００９２】
このとき、左右の植付ホッパ３１０，３２０の下端部が描く移動軌跡は、上死点Ｔと下死点Ｕの上下方向の中心点Ｍよりも下方では側面視でＵ字形状の円弧を描き、中心点Ｍよりも上方では、機体前側上方に向かいつつ上死点Ｔでターンして機体後側下方に向かう前傾姿勢の円弧を描くものとする。
【００９３】
前記植付装着プレート３１６ｂ，３２６ｂは、機体左右方向の長孔（図示省略）を形成し、この長孔にボルト・ナット等の固定部材を緩めると左右方向に摺動し、締めると位置決めされる条間調節ステー３１９，３２９を設ける。そして、該条間調節ステー３１９，３２９に、前記苗植付体３１２，３１３、３２２，３２３の機体前側に設ける上下方向の回動軸３１２ａ，３１３ａ、３２２ａ，３２３ａを差し込み、前記苗植付ホッパ３１０，３２０が苗を圃場に植え付ける際、苗植付ホッパ３１０，３２０の機体後側が開く構成とする。
【００９４】
なお、前記苗植付ホッパ３１０，３２０は、回動軸３１２ａ，３１３ａ、３２２ａ，３２３ａに対して機体後側に傾斜する姿勢で配置される。
【００９５】
この構成により、苗植付ホッパ３１０，３２０が開いた時の苗植付体３１２，３１３、３２２，３２３の下部側の左右間隔を広くすることができるので、苗の根部側が苗植付ホッパ３１０，３２０に引っ掛かり、植付姿勢が乱れることが防止される。
【００９６】
一方、移植作業を行う作物が、例えば長ネギ等の根部側の軸径が小さく、葉部側が四方に広がり得る作物については、苗植付ホッパ３１０，３２０の内部に葉部が接触して苗の植付姿勢が乱れることや、苗植付ホッパ３１０，３２０から苗が離れず、苗が植え付けられない箇所が発生することがある。これは、苗植付ホッパ３１０，３２０の下部側の左右間隔よりも、上部側の左右間隔が狭いことにより生じやすい問題である。
【００９７】
これを防止すべく、前記苗植付ホッパ３１０，３２０と回動軸３１２ａ，３１３ａ、３２２ａ，３２３ａは、各垂線が平行になる姿勢で配置する。
【００９８】
これにより、苗植付ホッパ３１０，３２０が開いた時の苗植付体３１２，３１３、３２２，３２３の上部側の左右間隔を広くすることができるので、苗の葉部側が苗植付ホッパ３１０，３２０に引っ掛かり、植付姿勢が乱れることや、苗が植え付けられない箇所が発生することが防止される。
【００９９】
また、前記回動軸３１２ａ，３１３ａ、３２２ａ，３２３ａには、前記苗植付体３１２，３１３、３２２，３２３を支持する左右の植付装着具３１７，３１７、３２７，３２７を設け、該植付装着具３１７，３１７、３２７，３２７を開閉スプリング３１７ａ，３２７ａで連結することで、該前記昇降リンク機構９６０，９６０の昇降に連動して苗植付体３１２，３１３、３２２，３２３を回動させ、苗植付ホッパ３１０，３２０の開閉を切り替える開閉装置９９０を構成する。
【０１００】
上記構成により、苗植付ホッパ３１０，３２０を構成する苗植付体３１２，３１３、３２２，３２３が機体前側を回動中心として開閉することにより、苗植付ホッパ３１０，３２０の後方を開放空間とすることができるので、植え付ける苗の丈が苗植付ホッパ３１０，３２０の上下長さ、及び植付軌跡の上下長さよりも長くても、苗植付ホッパ３１０，３２０が苗に干渉することなく上方に移動できる。これにより、苗の植付姿勢が傾くことが防止され、苗の生育が安定する。
【０１０１】
そして、植付昇降アーム９３０と植付揺動アーム９７０を植付カム９２０で揺動させ、平行リンクでない昇降リンク機構９６０で植付ホッパ３１０，３２０を昇降及び前後回動させることにより、植付軌跡を前後方向で比較的狭くすることができると共に、圃場に植え付けた上下に長い苗を苗植付体３１２，３１３、３２２，３２３で挟まない軌跡とすることができる。
【０１０２】
また、左右の苗植付ホッパ３１０，３２０が下死点Ｕに近付くほど垂直に近い姿勢になることにより、圃場に植え付ける苗が傾くことを防止できるので、植付姿勢の悪い苗を手作業で植え直す必要がなくなり、作業者の労力が軽減される。
【０１０３】
また、苗植付ホッパ３１０，３２０が上昇する際、下部側が上部側よりも機体前側に位置する傾斜姿勢となることにより、苗植付ホッパ３１０，３２０の後部側が閉じる位置を苗の植付位置から離間させることができるので、苗植付ホッパ３１０，３２０が植え付けた苗を抜き取ることが防止され、苗が植え付けられない箇所の発生が防止される。
【０１０４】
さらに、左右の苗植付ホッパ３１０，３２０を、左右方向に摺動させて位置調節する条間調節ステー３１９，３２９に装着したことにより、苗植付ホッパ３１０，３２０の左右間隔、所謂条間を調節することができるので、移植する苗の種類や圃場環境に適した条間を設定しやすく、作物の生育スペースの確保や圃場内の風の通り道が確保され、作物が生育しやすくなると共に、病害虫の発生が軽減される。
【０１０５】
また、植付伝動ケース９１０や昇降リンク機構９６０の左右位置を変更することなく条間調節ができるので、植付伝動ケース９１０や昇降リンク機構９６０の取付強度が向上すると共に、位置調節しても伝動が確保される構成とする必要が無く、構成の簡略化や部品点数の削減が図られる。
【０１０６】
また、図１３（ａ）（ｂ）で示すとおり、背面視において、前記左右の苗植付体３１２，３１３、３２２，３２３は、閉じたときの接触面同士が描く線が、上下方向の直線となる構成とする。一方、前記左右のガイド構成体３１４，３１５、３２４，３２５は、閉じたときの接触面同士が描く線が、機体内側下部から機体外側上部に向かう傾斜方向の直線となる構成とする。
【０１０７】
前記操縦ハンドル７０は、前記左右の苗植付ホッパ３１０，３２０よりも機体後側上方に設けるが、この操縦ハンドル７０よりも機体前側に、左右方向のハンドル受けフレーム３４０を設ける。そして、該ハンドル受けフレーム３４０の左右両側に、前記左右の後輪伝動ケース３０，３０の軸部カバー３０ａ，３０ａに基部を装着する左右のハンドルフレーム３５０，３５０を連結する。該左右のハンドルフレーム３５０，３５０は、前記昇降リンク機構９６０，９６０の上方を通過させて配置する。なお、昇降リンク機構９６０，９６０が最大限上昇しても接触しない上下位置に、左右のハンドルフレーム３５０，３５０を設けるものとする。
【０１０８】
そして、前記ハンドル受けフレーム３４０の左右両側に下方に向かうスプリングステー３６０，３６０を設け、該左右のスプリングステー３６０，３６０と前記リンク受けプレート３１６ａ，３２６ａに亘って、機体後側に向かって付勢する吊りスプリング３７０，３７０を設ける。
【０１０９】
左右の苗植付ホッパ３１０，３２０の上部側を機体後方に引っ張ることにより、上死点Ｔに向かう上昇時に苗植付ホッパ３１０，３２０の傾斜角度を早い段階から大きくすることができるので、苗植付ホッパ３１０，３２０が植え付けた苗を挟んで引き抜くことを防止でき、苗の植付が行われない箇所の発生が防止される。
【０１１０】
また、左右のハンドルフレーム３５０，３５０とハンドル受けフレーム３４０を連結したことにより、旋回時に操縦者が押し下げる際に操縦ハンドル７０にかかる負荷に耐え得る強度が確保される。
【０１１１】
次に、苗を植え付ける際、苗植付ホッパ３１０，３２０が持ち上げた土砂を踏み均す鎮圧装置４１０及び４２０について説明する。
【０１１２】
鎮圧装置４１０及び４２０は、植え付けられた苗の周辺の土壌を鎮圧する、苗植付ホッパ３１０，３２０にそれぞれ対応する鎮圧装置である。
【０１１３】
鎮圧装置４１０は、苗植付ホッパ３１０を挟むように車体左右方向を基準として並んで設けられた鎮圧輪４１１及び４１２を有する。鎮圧装置４２０は、苗植付ホッパ３２０を挟むように車体左右方向を基準として並んで設けられた鎮圧輪４２１及び４２２を有する。
【０１１４】
鎮圧輪４１１及び４１２の鉛直面に対する傾斜度は、互いに異なる。鎮圧輪４２１及び４２２の鉛直面に対する傾斜度は、互いに異なる。
【０１１５】
鎮圧輪４１１、４１２、４２１及び４２２の内、苗植付ホッパ３１０，３２０の間の鎮圧輪４１１及び４２１の傾斜度は、残る鎮圧輪４１２及び４２２の傾斜度より小さい。
【０１１６】
本実施の形態においては、鎮圧輪４１１及び４１２の鎮圧輪ステー４６１及び４６２は車体背面視においてＶ字状であるように苗植付ホッパ３１０に沿って傾斜させられており、鎮圧輪４２１及び４２２の鎮圧輪ステー４６３及び４６４は車体背面視においてＶ字状であるように苗植付ホッパ３２０に沿って傾斜させられている。たとえば、鎮圧輪４１１及び４１２の鉛直面に対する傾斜度は１０度であり、鎮圧輪４２１及び４２２の鉛直面に対する傾斜度は２７度である。そして、鎮圧輪４１１、４１２、４２１及び４２２の接地箇所は同じ高さの水平面に含まれているが、苗植付ホッパ３１０，３２０の間の鎮圧輪４１１及び４２１の独立回転可能な鎮圧輪回転軸が鎮圧輪ステー４６１及び４６３にそれぞれ取付けられる上下方向を基準とした取付位置は、残る鎮圧輪４１２及び４２２の独立回転可能な鎮圧輪回転軸が鎮圧輪ステー４６１及び４６３にそれぞれ取付けられる上下方向を基準とした取付位置とは、鎮圧輪４１２及び４２２が鎮圧輪４１１及び４２１に比べて大きく倒れているように異なる。
【０１１７】
このため、苗植付体３１２，３１３，３２２の下端部同士の間の距離δ２が小さくても、植付ホッパ移動静軌跡に沿って上下移動させられる苗植付装置３００と、鎮圧装置４１０と、の間の干渉が発生して苗植付が妨げられる恐れがほとんどないのみならず、植え付けられた苗の周辺の土壌が確実に鎮圧される鎮圧輪レイアウトが実現される。
【０１１８】
スクレーパ５１１、５１２、５２１及び５２２は、鎮圧輪４１１、４１２、４２１及び４２２に付着した泥土を掻落とす、鎮圧輪４１１、４１２、４２１及び４２２にそれぞれ対応するスクレーパである。
【０１１９】
苗植付ホッパ３１０，３２０の間の鎮圧輪４１１及び４２１にそれぞれ対応するスクレーパ５１１及び５２１の上下方向を基準とした取付位置は、互いに異なる。
【０１２０】
本実施の形態においては、スクレーパ５１１、５１２、５２１及び５２２は鎮圧輪ステー４６１〜４６４にそれぞれ取付けられるが、スクレーパ５２１が鎮圧輪ステー４６３に取付けられる上下方向を基準とした取付位置は、スクレーパ５１１、５１２及び５２２が鎮圧輪ステー４６１、４６２及び４６４にそれぞれ取付けられる上下方向を基準とした取付位置より低い。
【０１２１】
このため、スクレーパ５１１及び５２１の間には段差が生じるので、泥土がスクレーパ５１１及び５２１に溜まりにくい。そして、苗植付体３１２，３１３，３２２の下端部同士の間の距離δ２が小さくても、苗植付ホッパ３１０，３２０の間の鎮圧輪４１１及び４２１にそれぞれ対応するスクレーパ５１１及び５２１の間の干渉が発生する恐れはほとんどないので、前述の如き望ましい鎮圧輪レイアウトの実現が妨げられない。
【０１２２】
左外側鎮圧輪フレーム４３０は、車体左側に設けられた鎮圧輪フレームである。
【０１２３】
右外側鎮圧輪フレーム４４０は、車体右側に設けられた鎮圧輪フレームである。
【０１２４】
内側鎮圧輪フレーム４５０は、左外側鎮圧輪フレーム４３０と、右外側鎮圧輪フレーム４４０と、の間に設けられた鎮圧輪フレームである。
【０１２５】
鎮圧輪４１１、４１２、４２１及び４２２の内、苗植付ホッパ３１０，３２０の間の鎮圧輪４１１及び４２１は内側鎮圧輪フレーム４５０に取付けられており、残る鎮圧輪４１２及び４２２の内、車体左側の鎮圧輪４１２は左外側鎮圧輪フレーム４３０に取付けられており、車体右側の鎮圧輪４２２は右外側鎮圧輪フレーム４４０に取付けられている。
【０１２６】
本実施の形態においては、鎮圧輪ステー４６１及び４６３は内側鎮圧輪フレーム４５０に取付けられており、車体左側の鎮圧輪ステー４６２は苗植付ホッパ３１０の左外側面よりも外側に設けられた左外側鎮圧輪フレーム４３０に取付けられており、車体右側の鎮圧輪ステー４６４は苗植付ホッパ３２０の右外側面よりも外側に設けられた右外側鎮圧輪フレーム４４０に取付けられている。そして、左外側鎮圧輪フレーム４３０、右外側鎮圧輪フレーム４４０、及び内側鎮圧輪フレーム４５０は、車体左右方向に延びる、鎮圧輪４１１、４１２、４２１及び４２２よりも前方に設けられた鎮圧輪フレーム回動シャフト部材４９１へ接続されており、車体左右方向に延びる、鎮圧輪４１１、４１２、４２１及び４２２よりも後方に設けられた鎮圧輪フレーム連結アーム部材４９２へ接続されているが、より具体的には、内側鎮圧輪フレーム４５０が、一体的に形成された、左外側鎮圧輪フレーム４３０、右外側鎮圧輪フレーム４４０、及び鎮圧輪フレーム連結アーム部材４９２に溶接を利用して接続されている。さらに、左外側鎮圧輪フレーム４３０、右外側鎮圧輪フレーム４４０、内側鎮圧輪フレーム４５０、及び鎮圧輪フレーム回動シャフト部材４９１は、苗植付装置３００に動力を伝達する植付装置伝動ケースなどよりも下方に設けられている。
【０１２７】
このため、植付ホッパ移動静軌跡に沿って上下移動させられる苗植付装置３００と、左外側鎮圧輪フレーム４３０、右外側鎮圧輪フレーム４４０、内側鎮圧輪フレーム４５０、及び鎮圧輪フレーム回動シャフト部材４９１と、の間の干渉が発生して苗植付が妨げられる恐れがほとんどないのみならず、前述の如き望ましい鎮圧輪レイアウトの実現が妨げられない。
【０１２８】
苗植付ホッパ３１０，３２０の間の鎮圧輪４１１及び４２１の車体前後方向を基準とした取付位置は、互いに異なる。
【０１２９】
本実施の形態においては、鎮圧輪ステー４６１及び４６４が、鎮圧輪ステー４６２及び４６３よりも車体前後方向を基準として前方に設けられている。そして、内側鎮圧輪フレーム４５０の右外側面の側から取付けられた、車体左側の鎮圧輪ステー４６１の取付基部は、内側鎮圧輪フレーム４５０の左外側面の側から取付けられた、車体右側の鎮圧輪ステー４６３の取付基部よりも前方に設けられており、鎮圧輪ステー４６１は鎮圧輪ステー４６３と車体背面視において狭小な植付条間距離に応じたコンパクトな配置関係で互いに交差する。
【０１３０】
このため、苗植付体３１２，３１３，３２２の下端部同士の間の距離δ２が小さくても、苗植付ホッパ３１０，３２０の間の鎮圧輪４１１及び４２１の間の干渉が発生する恐れはほとんどないので、前述の如き望ましい鎮圧輪レイアウトの実現が妨げられない。
【０１３１】
鎮圧装置付勢ロッド４７０及び４８０は、鎮圧装置４１０及び４２０を下方に付勢する、鎮圧装置４１０及び４２０にそれぞれ対応するロッドである。
【０１３２】
本実施の形態においては、下方への付勢力を印加するための鎮圧装置付勢スプリング４７１及び４８１がそれぞれ取付けられた鎮圧装置付勢ロッド４７０及び４８０の下端部が、鎮圧輪フレーム連結アーム部材４９２へ接続されている。
【０１３３】
鎮圧装置付勢ロッド４７０及び４８０の車体左右方向を基準とした中心は、それぞれ、苗植付ホッパ３１０．３２０の上部側の車体左右方向を基準とした中心と車体背面視において一致する。
【０１３４】
このため、鎮圧装置４１０が有する鎮圧輪４１１及び４１２は鎮圧装置付勢ロッド４７０により均等に付勢され、鎮圧装置４２０が有する鎮圧輪４２１及び４２２は鎮圧装置付勢ロッド４８０により均等に付勢されるので、圃場面の凹凸などにより上下移動する鎮圧輪４１１、４１２、４２１及び４２２の間の相互作用に起因する鎮圧荷重の大きな変動が発生する恐れはほとんどない。
【０１３５】
もちろん、鎮圧装置付勢ロッドの個数は、本実施の形態においては２であるが、１であってもよいし、３以上であってもよい。
【０１３６】
鎮圧装置付勢ロッドの個数が１である変形例の実施の形態においては、鎮圧装置付勢スプリングの個数も削減されて１であるが、鎮圧輪４１１、４１２、４２１及び４２２の間の相互作用に起因する鎮圧荷重の大きな変動が発生しにくいように、このような単一の鎮圧装置付勢スプリングが取付けられた鎮圧装置付勢ロッドの車体左右方向を基準とした中心は車体１０の車体左右方向を基準とした中心と車体背面視において一致することが望ましい。
【０１３７】
もちろん、苗植付ホッパの個数は、本実施の形態においては２であるが、３以上であってもよい。
【０１３８】
要するに、複数本の植付条にそれぞれ対応する複数個の苗植付ホッパの内、所定の隣接する二個の苗植付ホッパは、対になっており、対になっている二個の苗植付ホッパが有する苗植付部の下端部同士の間の距離は、対になっている二個の苗植付ホッパが有する苗受入部の中心部同士の間の距離より小さければよい。
【０１３９】
なお、対になっている二個の苗植付ホッパにそれぞれ対応する二個の鎮圧装置の各々が有する二個の鎮圧輪の鉛直面に対する傾斜度は、互いに異なることが望ましい。
【０１４０】
また、対になっている二個の苗植付ホッパにそれぞれ対応する二個の鎮圧装置が有する四個の鎮圧輪の内、対になっている二個の苗植付ホッパの間の二個の鎮圧輪の傾斜度は、残る二個の鎮圧輪の傾斜度より小さいことが望ましい。
【０１４１】
また、対になっている二個の苗植付ホッパの間の二個の鎮圧輪にそれぞれ対応する二個のスクレーパの上下方向を基準とした取付位置は、互いに異なることが望ましい。
【０１４２】
また、複数個の鎮圧装置付勢ロッドの車体左右方向を基準とした中心は、それぞれ、複数個の苗受入部の車体左右方向を基準とした中心と車体背面視において一致することが望ましい。
【０１４３】
前記左右の苗植付ホッパ３１０，３２０の植付深さは、植え付ける苗の品種や育苗の段階、畝の高さなどの条件に合わせて変更する必要がある。この植付深さを調節する植付深さレバー３３０の基部を、側面視で前記苗供給テーブル２００の前端部の下方に配置すると共に、植付深さレバー３３０の端部を苗供給テーブル２００の後下部に配置し、機体後部の作業者がレバーグリップ３３１を持ちやすい位置に配置する。
【０１４４】
また、該植付深さレバー３３０は、平面視で車体１０の後部右側に基部を取り付け、右側の駆動後輪５０の上方に向かって突出させると共に、右側の駆動後輪５０と後輪伝動ケース３０の左右間で機体後方に向かって屈曲させる構成とする。この植付深さレバー３３０の後端部に、前記レバーグリップ３３１を装着する。このとき、植付深さレバー３３０の屈曲部は、右側の後輪伝動ケース３０や水タンクステー７００と干渉しない配置とする。
【０１４５】
前記植付深さレバー３３０は、上下方向に回動操作することによって左右の苗植付ホッパ３１０，３２０の植付深さを調節する部材であるが、端部を苗供給テーブル２００の後下部に臨ませる構成であるので、真っ直ぐな形状では上方操作時にテーブル伝動機構２３０に接触する可能性がある。
【０１４６】
これを防止すべく、前記植付深さレバー３３０を車体カバー１１の下端部付近で機体後側に向かって屈曲させ、標準的な植付深さを設定する位置で、レバーグリップ３３１が圃場面と略水平姿勢になる形状とする。具体的には、一本の棒体を屈曲部で約９０度曲げるか、あるいは二本の棒体を組み合わせて構成する。
【０１４７】
これにより、植付深さレバー３３０を上下方向に回動操作してもテーブル伝動機構２３０等に接触することを防止できるので、苗植付ホッパ３１０，３２０の植付深さを確実に調節することができる。
【０１４８】
また、植付深さレバー３３０を後輪伝動ケース３０と車体カバー１１の下部附近の上下間に収めることができるので、植付深さレバー３３０が機体の前後幅内及び上下幅内からはみ出すことが防止され、作業者が植付深さレバー３３０に接触し、植付深さが変更され、適切に苗が植え付けられなくなることが防止される。
【０１４９】
そして、植付深さレバー３３０のレバーグリップ３３１が機体右側の後部側に位置することにより、一般的に苗を苗供給テーブル２００に投入する作業者の作業位置Ｗに植付深さレバー３３０を近付けることができるので、作業者が操作しやすく、作業能率が向上すると共に、植付深さの調節を手早く行なうことができ、植付精度が向上する。
【０１５０】
さらに、植付深さレバー３３０を右側の駆動後輪５０と後輪伝動ケース３０の左右間で機体後方に向かって屈曲させることにより、植付深さレバー３３０が後輪伝動ケース３０や水タンクステー７００に接触することを防止できるので、後輪伝動ケース３０の上下動によって植付深さレバー３３０が移動し、植付深さが変化することが防止される。
【０１５１】
なお、前記植付深さレバー３３０は機体右側から操作しやすい配置としているが、機体左側から操作しやすい配置構成として、機体左側に左右対称に配置してもよい。さらに、作業者の作業位置Ｗが機体の左右どちら側であっても植付深さレバー３３０を容易に操作可能とすべく、左右両側に各々設けてもよい。
【０１５２】
次に、本願の苗移植機の構成及び動作について、より具体的に説明する。
【０１５３】
図１及び図６を主として参照しながら、水タンク６００に関連する構成及び動作について具体的に説明する。
【０１５４】
ここに、図６は、本発明における実施の形態の苗移植機の水タンク６００近傍の部分左側面図である。
【０１５５】
水タンク６００は、植え付けられた苗の周辺の土壌に供給される水を貯留するタンクである。
【０１５６】
水タンクステー７００は、水タンク６００を載置するステーである。
【０１５７】
水タンクステー７００は、車体左右方向を基準として苗供給テーブル２００の左右外側面よりも内側に設けられている。
【０１５８】
このため、水タンクステー７００の車体左右方向を基準とした幅は苗供給テーブル２００の車体左右方向を基準とした幅と同様に大きくなりすぎないので、水タンクステー７００の収納性が向上され、水タンクステー７００と植え付けられた苗または障害物などとの間の干渉が発生する恐れはほとんどない。
【０１５９】
もちろん、水タンクステーは、本実施の形態においては車体左側に設けられているが、車体右側に設けられていてもよいし、車体左側及び車体右側に設けられていてもよい。
【０１６０】
後輪伝動ケース３０は、後輪回転軸５１に動力を伝達する伝動ケースである。
【０１６１】
本発明における実施の形態の苗移植機の水タンクステー７００近傍の模式的な部分斜視図である図７などに示されているように、水タンクステー７００は、第一水平プレート部材７１０と、第二水平プレート部材７２０と、を有する。
【０１６２】
第一水平プレート部材７１０は、車体左右方向に延びる、後輪伝動ケース３０の外側面へ接続されたプレート部材である。
【０１６３】
本実施の形態においては、第一水平プレート部材７１０は、左側立上がり部７１０ａと、本体水平部７１０ｂと、右側立上がり部７１０ｃと、脚部７１０ｄと、を有するが、より厳密には、本体水平部７１０ｂは僅かに後下がりである。そして、脚部７１０ｄの下端部は後輪伝動ケース３０よりも内側に設けられている組付けプレート部材に締結部材を利用して接続されており、第一水平プレート部材７１０は前述の如く後輪伝動ケース３０の外側面へ接続されている。
【０１６４】
このため、チェーンケースとも呼ばれる後輪伝動ケース３０は堅牢であるので、水タンクステー７００の取付け強度が十分に確保される。
【０１６５】
第二水平プレート部材７２０は、車体前後方向に延びる、第一水平プレート部材７１０に直交するように第一水平プレート部材７１０へ接続されたプレート部材である。
【０１６６】
本実施の形態においては、第二水平プレート部材７２０は、前側立上がり部７２０ａと、本体水平部７２０ｂと、後側立上がり部７２０ｃと、を有するが、より厳密には、本体水平部７２０ｂは僅かに後下がりである。
【０１６７】
第二水平プレート部材７２０は、車体前後方向を基準としてスライド可能に第一水平プレート部材７１０へ接続されている。
【０１６８】
本実施の形態においては、本体水平部７２０ｂが本体水平部７１０ｂの下側面に設けられた車体前後方向に延びるスライドガイド溝に嵌込まれており、第二水平プレート部材７２０は前述の如くスライド可能に第一水平プレート部材７１０へ接続されている。
【０１６９】
このため、作業者は、第二水平プレート部材７２０をスライドさせて、水タンクステー７００に水タンク６００を容易に載置することができる。そして、作業者は、車体前後方向を基準として水タンク６００の重心位置を調節することができる。
【０１７０】
載置された水タンク６００の後部は、車体前後方向を基準として後輪回転軸５１よりも後方にある。
【０１７１】
このため、第二水平プレート部材７２０が前方にスライドされている場合でも、水タンク６００の重心位置は旋回支点を与える後輪回転軸５１よりも大きく前方にはこないので、車体１０の後方を歩きながら車体操向操作を行う作業者に要求される旋回時の車体上げ力が軽減される。
【０１７２】
もちろん、水タンク６００は、本実施の形態においては後部が後輪回転軸５１よりも後方にあるが、中心部が後輪回転軸５１よりも後方にあってもよいし、前部が後輪回転軸５１よりも後方にあってもよい。
【０１７３】
プラスチック製ホース部材を利用して構成された水ホース６１０は、水がポンプ装置により供給されるように、水出口端部の側が苗植付体３１２，３１３，３２２の上端部近傍へ接続されている。
【０１７４】
なお、図１、図２及び図６に示すとおり、前記左右の水タンクステー７００の後部の後側立上がり部７２０ｃの下端部に、左右の後輪伝動ケース３０の後方に突出する側面視Ｚ字形状のステッププレート７３０を各々設けてもよい。該ステッププレート７３０の下端部は後輪伝動ケース３０の上下幅内とし、後輪伝動ケース３０が下方回動する際にステッププレート７３０が圃場面に接触せず、下降が規制されない構成とする。
【０１７５】
左右のステッププレート７３０を設けることにより、後述するコンテナ載置台８００に載置するコンテナ（収容容器）から苗を取り出す際、作業者は機体後側からコンテナ載置台８００に近付くことができるので、機体側方まで移動する必要がなく、作業能率の向上や作業者の労力の軽減が図られる。
【０１７６】
次に、補充用の苗を収容する苗コンテナを載置する、コンテナ載置台８００について説明する。
【０１７７】
図１、図２及び図８に示すとおり、左右の後輪伝動ケース３０に駆動力を伝動する入力軸３１の後方に、車体１０のメインフレームと左右の後輪伝動ケース３０を連結するブラケットベース８０１を各々設け、該左右のブラケットベース８０１にコンテナ載置台８００の基部を各々装着する。該コンテナ載置台８００は、前記左右の後輪伝動ケース３０の左右間で、且つ車体カバー１１の情報を跨いで設けられる。
【０１７８】
前記コンテナ載置台８００は、左右の下端部が前記左右のブラケットベース８０１に各々装着される、正面視でＵ字形状の載置台支持フレーム８０２と、該載置台支持フレーム８０２の左右の上部屈曲部に各々立設する側部支持プレート８０３と、該左右の側部支持プレート８０３の左右間に所定間隔を空けて設ける側面視でコの字形状の一対の前後部支持プレート８０４で構成する。前記左右の側部支持プレート８０３と前後部支持プレート８０４は、前記載置台支持フレーム８０２に溶接して設け、苗コンテナや苗の重量の影響で破損しにくい構成とする。
【０１７９】
前記載置台支持フレーム８０２は、ブラケットベース８０１から機体後側傾斜姿勢で配置し、苗コンテナが前記苗供給テーブル２００に接近する構成とする。但し、前記左右の側部支持プレート８０３と前後部支持プレート８０４は、圃場面を基準として略水平姿勢で前記載置台支持フレーム８０２に取り付ける。
【０１８０】
これにより、苗を収容したコンテナが苗供給テーブル２００の前方に位置するので、機体後側の左右どちらか一側に立って苗を投入する作業者が苗を取りやすく、作業能率の向上が図られると共に、供給の遅れにより苗が植え付けられない箇所、即ち欠株の発生が防止できる。
【０１８１】
また、コンテナ及びコンテナ載置台８００が苗供給テーブル２００に接していないことにより、コンテナ及びコンテナ載置台８００の重量によって苗供給テーブル２００が機体前側に傾斜することを防止できるので、苗供給テーブル２００の回転による苗送り動作が妨げられない。これにより、苗供給テーブル２００から左右の苗植付ホッパ３１０，３２０に苗が供給されるタイミングが安定し、苗の植付位置や植付姿勢が安定する。
【０１８２】
さらに、苗を収容するコンテナが機体前側寄りに配置されることにより、機体前側に重心を寄せることができるので、機体後側に配置される苗供給テーブル２００や苗植付ホッパ３１０，３２０の重量によって機体前側が浮き上がることを防止できる。これにより、走行軌跡が乱れたり、左右の苗植付ホッパ３１０，３２０の植付深さが変化することが防止され、苗の植付精度が向上する。
【０１８３】
そして、正面視でＵ字形状の載置台支持フレーム８０２の基部を左右のブラケットベール８０１に装着することにより、連結により載置台支持フレーム８０２が車体１０の強度メンバーとなるので、機体の耐久性が向上する。
【０１８４】
また、左右の側部支持プレート８０３と前後部支持プレート８０４を圃場面を基準として略水平姿勢で設けることにより、機体が前後傾斜してコンテナが機体前方または後方に大きく傾斜しても、収容する苗が落下しにくくなるので、落下した苗を拾う作業が不要となり、作業の労力が軽減される。
【０１８５】
なお、前記左右の側部支持プレート８０３と前後部支持プレート８０４の上端部は略同じ高さとし、苗コンテナに形成する把持空間部を塞がず、且つ苗コンテナの上下長さの下から約半分を抑え、安定的に苗コンテナを支持可能な構成とする。
【０１８６】
前記コンテナ載置台８００の前端部、即ち左右の前後部支持プレート８０４の前端部は、前記車体カバー１１に設ける給油キャップ１１ａの後端部よりも機体後側に位置する。該給油キャップ１１ａは、エンジン２０が消費する燃料を貯留する燃料タンク２１の給油口（図示省略）を覆う部材であり、作業者は給油キャップ１１ａを外して燃料タンク２１に燃料を給油する。
【０１８７】
前記車体カバー１１は、車体１０側に設ける取付フック（図示省略）に引っ掛けており、取付フックに引っ掛けた状態を解除した後、上方に移動させると取り外す構成である。そして、前記車体カバー１１の前後方向中央部から後端部までの上下長さは、前後方向中央部から前端部までの上下長さよりも短く構成する。
【０１８８】
これにより、車体カバー１１を取り外すとき、車体カバー１１を前斜め上方に向かって引き出すと、車体カバー１１がコンテナ載置台８００に接触しないので、機体の整備を行うときにコンテナ載置台８００を左右のブラケットフレーム８０１から取り外す作業が不要になり、メンテナンス性や作業能率が向上する。
【０１８９】
そして、前記コンテナ載置部８００の前端部が給油キャップ１１ａの後端部よりも機体後側に位置することにより、給油作業時に給油キャップ１１ａを外すとき、コンテナ載置台８００が作業者の手や腕の動きを妨げることを防止できるので、作業能率が向上する。
【０１９０】
これに加えて、前記左右の前後部支持プレート８０４は左右方向に間隔を空けて載置台支持フレーム８０２に設け、この左右間隔を前記給油キャップ１１ａの上方に配置する。
【０１９１】
これにより、コンテナを載置していなければ、作業者は前後部支持プレート８０４の左右間隔を利用して給油キャップ１１ａの着脱を行うことができるので、作業能率が向上する。
【０１９２】
そして、作業者がコンテナをコンテナ載置台８００から取り外すとき、左右間隔部からコンテナに手を伸ばすことができるので、コンテナの取り外し作業の能率が向上する。
【０１９３】
また、前記載置台支持フレーム８０２の基部は、平面視で前記左右の後輪伝動ケース３０の左右間で、且つ左右の駆動後輪５０よりも機体前側に配置する。
【０１９４】
前記左右の後輪伝動ケース３０は各々回動可能に設け、操作ユニット６０に設ける昇降レバー６３を操作すると、左右同時に上下回動して機体の上下高さを変更する構成とする。これに加えて、左右の駆動後輪５０が各々通過する圃場面の凹凸に合わせて一方の後輪伝動ケース３０が上下回動すると、他方の後輪伝動ケース３０が反対方向に回動することで、機体を圃場面と略水平姿勢に維持するローリング機構（図示省略）を設ける。
【０１９５】
これにより、機体の左右どちらか一方が上昇して左右方向の傾斜姿勢になり、左右の苗植付ホッパ３１０，３２０の植付深さが異なることを防止できるので、苗の植付深さが安定する。
【０１９６】
前記昇降レバー６３を操作する、またはローリング機構が作動すると、左右の後輪伝動ケース３０の上下回動に伴い、左右の水タンクステー７００に載置された水タンク６００の上下位置が変化するが、左右の水タンクステー７００は左右の後輪伝動ケース３０の機体外側に突出する配置としているので、載置台支持フレーム８０２と干渉することが防止できる。
【０１９７】
なお、前記左右の後輪伝動ケース３０は機体前側の車軸を回動支点として上下動するので、機体後側、即ち駆動後輪５０を装着する側は円弧状の軌跡を描く。前記水タンクステー７００に載置する水タンク６００は、昇降レバー６３の操作、またはローリング機構により左右の後輪伝動ケース３０が上昇するとき、前記苗供給テーブル２００に接触しない大きさ、及び形状のものとする。
【０１９８】
前記コンテナ載置台８００に載置するコンテナは、機体左右方向の中央部付近に配置されるので、コンテナ及び収容する苗の重量が機体の左右方向のバランスを乱すことを防止できる。
【０１９９】
次に、図２を主として参照しながら、ガイドパイプ８０に関連する構成及び動作について具体的に説明する。
【０２００】
車体１０のメインフレームよりも後側に設けられたガイドパイプ８０には、車体１０の後方を歩きながら車体操向操作を行う作業者が姿勢を保持するために把持するガイドパイプグリップ８１が接続されている。
【０２０１】
本実施の形態においては、二個のガイドパイプグリップ８１がガイドパイプ８０の車体左右方向を基準とした両端部にそれぞれ接続されているので、作業者が何れの側を歩いている場合でも、ガイドパイプグリップ８１は把持しやすい。
【０２０２】
図１及び図２を主として参照しながら、車体バランサー１２に関連する構成及び動作について具体的に説明する。
【０２０３】
車体前後方向に延びる仮想的な軸の周りの横揺れである車体１０のローリングは、天秤式センサ１３により検知される。そして、天秤式センサ１３による検知の結果に基づいた車体バランス調節が車体バランサー１２の姿勢変更を利用して行われ、走行時の車体ふらつきの発生が抑制される。
【０２０４】
左右水平振り子機構である天秤式センサ１３による車体バランス調節の機能を旋回時などにロックするための天秤式センサロックレバー６２は、テーブルフレーム２２０などを利用して構成された副変速レバー取付プレート６１ａに取付けられており、操縦ハンドル７０の中央部に配置されている。
【０２０５】
本実施の形態においては、天秤式センサロックレバー６２は、空きスペースが存在する、副変速レバー取付プレート６１ａの右外側面の側から取付けられており、副変速レバー取付プレート６１ａの左外側面の側に設けられた副変速レバー６１のレバー操作域と、天秤式センサロックレバー６２のレバー操作域の間の干渉が発生する恐れはほとんどない。そして、チェンジレバーとも呼ばれる副変速レバー６１はいつも天秤式センサロックレバー６２と反対に位置するので、作業者が車体右側を歩いている場合でも、作業者の身体が天秤式センサロックレバー６２に接触しにくい配置となり、天秤式センサロックレバー６２のレバー操作が副変速レバー６１のレバー操作にともない誤操作されることが防止され、作業者の意図しない走行伝動に切り替わることが防止される。
【０２０６】
なお、前記センサ板１１０は、曲げ加工により形成した板体を回動可能に装着し、上下回動量をポテンショメータ等で検知するものである。
【符号の説明】
【０２０７】
２００  苗供給テーブル（苗供給装置）
２１０  苗収容体（苗収容部材）
２１１  収容カップ（カップ部）
２１２  開閉蓋（蓋部）
２４０  支持プレート（支持部材）
２４１  第１長孔
２４２  取付部材
２４３  案内シュータ（案内部材）
２４４  第２長孔
２４５  送り込み補助プレート（左側の受壁部）
２４６  送り込み補助プレート（右側の受壁部）
２４６ａ  切欠部
３１０  苗植付ホッパ（苗植付具）
３１２  苗植付体
３１３  苗植付体
３２０  苗植付ホッパ（苗植付具）
３２１  苗ガイド（苗案内部材）
３２２  苗植付体
３２３  苗植付体
９００  植付作動機構
Ｄ  上下間隔部
【図１】
2019024415.tif 000003
【図２】
2019024415.tif 000004
【図３】
2019024415.tif 000005
【図４】
2019024415.tif 000006
【図５】
2019024415.tif 000007
【図６】
2019024415.tif 000008
【図７】
2019024415.tif 000009
【図８】
2019024415.tif 000010
【図９】
2019024415.tif 000011
【図１０】
2019024415.tif 000012
【図１１】
2019024415.tif 000013
【図１２】
2019024415.tif 000014
【図１３】
2019024415.tif 000015
【図１４】
2019024415.tif 000016
【図１５】
2019024415.tif 000017
【図１６】
2019024415.tif 000018
【図１７】
2019024415.tif 000019
【図１８】
2019024415.tif 000020
【図１９】
2019024415.tif 000021
【図２０】
2019024415.tif 000022
【図２１】
2019024415.tif 000023